(57)【要約】    【課題】  傾きが可変の背もたれ部を安定して支持できしかも角度調整の操作性の良い椅子の提供。    【解決手段】座部を形成する座部枠、該座部後端で前記座部枠に前後に起倒可能に枢支されしかも背もたれ部を形成する背もたれ枠、前記座部枠の前端部で枢着されかつ後方に湾曲部分を有してのびる肘掛けフレーム部、及び背もたれ枠と肘掛けフレーム部とに設けられ背もたれ枠を複数位置で保持係止する保持手段を具え、前記保持手段は、前記肘掛けフレーム部の後方に間隔を隔てて該肘掛けフレーム部の周囲面から突出する２以上の突起からなる位置決め部、及び前記背もたれ枠に前後に傾動可能に枢支される背受け体と、肘掛けフレーム部の長さ方向に移動できかつ突起を通過する溝部を有し、かつ通過後の回動によって前記溝部の位置を変えることにより前記位置決め部が後面と衝合して背もたれ部の後動を阻止して位置決めする係止体とからなる係止部材からなることを特徴とする椅子。【選択図】  図１
2005205021.tif 000002
【特許請求の範囲】
【請求項１】
座部を形成する座部枠、該座部後端で前記座部枠に前後に起倒可能に枢支されしかも背もたれ部を形成する背もたれ枠、前記座部枠の前端部で枢着されかつ後方に湾曲部分を有してのびる肘掛けフレーム部、及び背もたれ枠と肘掛けフレーム部とに設けられ背もたれ枠を複数位置で保持係止する保持手段を具え、
前記保持手段は、前記肘掛けフレーム部の後方に間隔を隔てて該肘掛けフレーム部の周囲面から突出する２以上の突起からなる位置決め部、及び前記背もたれ枠に前後に傾動可能に枢支される背受け体と、肘掛けフレーム部の長さ方向に移動できかつ突起を通過する溝部を有し、かつ通過後の回動によって前記溝部の位置を変えることにより前記位置決め部が後面と衝合して背もたれ部の後動を阻止して位置決めする係止体とからなる係止部材からなることを特徴とする椅子。
【請求項２】
前記係止部材は、前記背受け体を前方に、係止体を後方に並べた並列体からなり、かつ背受け体は前記肘掛けフレーム部に遊嵌され、しかも後端の突起を残して肘掛けフレーム部を長さ方向に通過する凹部を形成したことを特徴とする請求項１記載の椅子。
【請求項３】
前記背受け体は、前記係止体に前後に脱落不能にかつ係止体が回動可能に、該係止体に外挿したことを特徴とする請求項１記載の椅子。
【請求項４】
前記肘掛けフレーム部の後端は、キャップにより閉蓋されるとともに、
前記肘掛けフレーム部は前方にのびて延長部で前脚部を形成する延長肘フレームをなし、かつ前記座部枠の両側の座部側フレーム部は、後方にのびてその延長部が後脚部を形成する延長座部フレームを形成することを特徴とする請求項１〜３のいずれかに記載の椅子。
【発明の詳細な説明】
【技術分野】
【０００１】
本発明は、背もたれ部の傾斜角度を調整するリクライニング機能を具えた椅子に関する。
【背景技術】
【０００２】
パイプ材などのフレームを用いて構成された枠組み体に、布地、プラスチック板などを取り付けて座部、及び背もたれ部を形成した椅子は、軽量で取扱性に優れるため幅広く使用されている。そしてこの種の椅子にあっては、背もたれ部の傾斜角度は一定に固定されたものが一般的であった。
【０００３】
しかしながら、これら軽便な椅子に対しても単に座ることができるだでけなく、くつろいだ姿勢でテレビ、音楽などを視聴するために使用し、或いは休息をとるために体を伸ばしリラックスした姿勢で座る際に使用するなどニーズの多様化にともない、背もたれ部の傾斜角度の調整機能が求められ、特許文献１は簡易なリクライニング構造を提案している。
【０００４】
前記リクライニング構造を具えた椅子は、図１２（Ａ）に示すように、互いに中位で軸着しＸ字状に配された第１、第２の傾斜脚部杆ａ１、ａ２と、下端部が第１の傾斜脚部杆ａ１に調整部品ｂを介して取り付けられかつ前記下端部よりも少し高い箇所で第２の傾斜脚部杆ａ２の後端部に軸着された背もたれ杆ｃと、該背もたれ杆ｃに張設された背中部ｅとを含み構成されている。そして前記調整部品ｂは、図１２（Ｂ）に示すように、一端部が第１の傾斜脚部杆ａ１に軸着されるとともに他端部が背もたれ杆ｃの下端部にピンｐ１により軸着されている。
【０００５】
前記椅子を使用するに際しては、図１２（Ａ）（Ｂ）に実線で示されるように、調整部品ｂの前記他端部を椅子の後方側に位置させると、背もたれ杆ｃは垂直状態に近い角度に支持され、背もたれ杆ｃに張設された背中部ｅは起き上がり姿勢を形成する。他方図１２（Ａ）（Ｂ）に鎖線で示されるように、調整部品ｂの前記他端部を椅子の前方側に回動させると、ピンｐ１が前方に移動するため背もたれ杆ｃの下端部は前方にスライドし、その結果該背もたれ杆ｃは後方に傾動して傾斜姿勢が得られる。
【０００６】
【特許文献１】特開２００３−３８２８０号公報
【発明の開示】
【発明が解決しようとする課題】
【０００７】
しかしながら、前記従来の椅子は、図１２（Ａ）（Ｂ）に実線で示されるように、背もたれ杆ｃが起き上がり姿勢の状態において、これに腰掛けている使用者が上半身を背中部ｅに凭れることにより背もたれ杆ｃに後向きの力を掛け、特に頭部を後方に押付けるなど背もたれ杆ｃの上端部側に後方に向けた力を与えると、該背もたれ杆ｃに後方に向いた大きな回転モーメントが生じる。この回転モーメントが限界を越えると使用者の体重に抗して、調整部品ｂが前方へ回動するとともにこれに連動して背もたれ杆ｃの上部側は後方へ向けて傾動する。その結果背もたれ杆ｃが起き上がり姿勢から傾斜姿勢へと急激に変化して、使用者は体勢が不意に急変するためこれに追従できず、腰に負担が掛かるなど身体に支障を起す可能性があり、さらには急激な姿勢変化から椅子とともに転倒する恐れもある。そしてこのとき第１、第２の傾斜脚部杆ａ１、ａ２と、背もたれ杆ｃ、或いは調整部品ｂとの間で指詰めを起こす危険性もある。
【０００８】
また、起き上がり姿勢と傾斜姿勢の切替えに際しては、調整部品ｂの他端部を前後に傾動させる時背もたれ杆ｃの下端部が持上がるため、切替えの都度使用者が椅子から立ち上がり無負荷の状態にすることが必要となり、前記切替え操作に手間がかかるという問題がある。
【０００９】
本発明は、前記した椅子が有する問題点を解消し、座部を形成する座部枠、該座部後端で前記座部枠に前後に起倒可能に枢支されしかも背もたれ部を形成する背もたれ枠、前記座部枠の前端部で枢着されかつ後方に湾曲部分を有してのびる肘掛けフレーム部、及び背もたれ枠と肘掛けフレーム部とに設けられ背もたれ枠を複数位置で保持係止する保持手段を具えることを基本とし、傾きが可変の背もたれ部を安定して支持できしかも角度調整の操作性の良い椅子の提供を課題としている。
【課題を解決するための手段】
【００１０】
前記目的を達成するために、請求項１記載の発明は、座部を形成する座部枠、該座部後端で前記座部枠に前後に起倒可能に枢支されしかも背もたれ部を形成する背もたれ枠、前記座部枠の前端部で枢着されかつ後方に湾曲部分を有してのびる肘掛けフレーム部、及び背もたれ枠と肘掛けフレーム部とに設けられ背もたれ枠を複数位置で保持係止する保持手段を具え、前記保持手段は、前記肘掛けフレーム部の後方に間隔を隔てて該肘掛けフレーム部の周囲面から突出する２以上の突起からなる位置決め部、及び前記背もたれ枠に前後に傾動可能に枢支される背受け体と、肘掛けフレーム部の長さ方向に移動できかつ突起を通過する溝部を有し、かつ通過後の回動によって前記溝部の位置を変えることにより前記位置決め部が後面と衝合して背もたれ部の後動を阻止して位置決めする係止体とからなる係止部材からなることを特徴とする。
【００１１】
また請求項２記載の発明は、前記係止部材は、前記背受け体を前方に、係止体を後方に並べた並列体からなり、かつ背受け体は前記肘掛けフレーム部に遊嵌され、しかも後端の突起を残して肘掛けフレーム部を長さ方向に通過する凹部を形成したことを特徴とする請求項１記載の椅子である。
【００１２】
また請求項３記載の発明は、前記背受け体は、前記係止体に前後に脱落不能にかつ係止体が回動可能に、該係止体に外挿したことを特徴とする請求項１記載の椅子である。
【００１３】
また請求項４記載の発明は、前記肘掛けフレーム部の後端は、キャップにより閉蓋されるとともに、前記肘掛けフレーム部は前方にのびて延長部で前脚部を形成する延長肘フレームをなし、かつ前記座部枠の両側の座部側フレーム部は、後方にのびてその延長部が後脚部を形成する延長座部フレームを形成することを特徴とする請求項１〜３のいずれかに記載の椅子である。
【発明の効果】
【００１４】
本発明は、座部を形成する座部枠、該座部後端で前記座部枠に前後に起倒可能に枢支されしかも背もたれ部を形成する背もたれ枠、前記座部枠の前端部で枢着されかつ後方に湾曲部分を有してのびる肘掛けフレーム部、及び背もたれ枠と肘掛けフレーム部とに設けられ背もたれ枠を複数位置で保持係止する保持手段を具えるため、使用者の上半身の負荷によって背もたれ部に後方に向いて発生する回転モーメントを確実に支持できる。
【００１５】
また前記保持手段は、前記肘掛けフレーム部に間隔を隔てて突出する２以上の突起からなる位置決め部、及び前記背もたれ枠に枢支される背受け体と、肘掛けフレーム部の長さ方向に移動できかつ突起を通過する溝部を有し、かつ通過後の回動によって前記位置決め部が後面と衝合して背もたれ部の後動を阻止して位置決めする係止体とからなる係止部材からなるため、使用者が座部に腰掛けたままの状態で係止体を肘掛けフレーム部の長さ方向に移動することにより、背もたれ枠の傾斜角度を調整することができ、前記調整操作を簡単に行うことができる。しかも係止体は、その溝部が肘掛けフレーム部の突起を通過後の回動により溝部の位置を変えることにより前記突起と衝合し、背受け体を介して背もたれ部の後向きの動きを阻止するため、背もたれ部に対し後向きに掛かる負荷を確実に支持することができ、その結果使用者の上半身を安定して保持しうる。
【００１６】
保持手段の突起は、座枠部の前端部で枢支されかつ後方にのびる肘掛けフレーム部の周囲面の任意の箇所に配置できるため、突起により位置決めされる背もたれ部の傾斜角度は、略垂直から例えば１６０度程度のかなり傾いた角度に至る広い幅の角度から選んで設定することが可能となる。その結果テレビ、音楽の視聴、読書などの目的で座る場合、または休息のために体を伸ばしてリラックスする場合、更にはマッサージ器を用いて身体のこりをほぐす場合その他使用の目的と状況に応じて、或いは年齢、体格、障害の有無など使用者の条件に応じて、背もたれ部の最適な傾斜角度が得られ、使用者の体に最も負担の小さな状態で椅子を快適に使用することができる。
【発明を実施するための最良の形態】
【００１７】
以下、本発明の実施の一形態を、図示例とともに説明する。図１は本発明の椅子１の斜視図、図２はそのフレーム構成を示す斜視図である。本発明の椅子１は、図１に示すように、座部２、および該座部２の後端から連続して立ち上がり使用者の上半身を受ける背もたれ部４からなる本体部Ｍと、該本体部Ｍの両側に配され肘掛けフレーム部７および該肘掛けフレーム部７が前方にのびた前脚部１６からなる延長肘フレーム１７と、座部２の後方にのびる後脚部１８とを含み構成されたものを例示している。
【００１８】
前記座部２は、本形態では、略水平で互いに平行に配された座部側フレーム部３Ａ、３Ａからなる座部枠３と、該座部枠３の内側に張設された座部シート体Ｓ１とからなる。また前記背もたれ部４は、本形態では、平行に配された背もたれ側フレーム５Ａ、５Ａ、および該背もたれ側フレーム５Ａ、５Ａの上端部間に設けられた背もたれ継ぎフレーム５Ｂからなる横コ字状の背もたれ枠５と、該背もたれ枠５の内側に張設された背もたれ部シート体Ｓ２とからなる。そして本形態では、座部シート体Ｓ１、背もたれ部シート体Ｓ２は連続して形成されたシート体Ｓが用いられる。該シート体Ｓは、その縁部が座部枠３、背もたれ枠５を反転の支持として座部２の下側、背もたれ部４の後側へ略１８０度折り返されるとともにシート体Ｓの裏面に重ねて縫合され、一定の引張り力を持った状態で座部枠３および背もたれ枠５に取り付けられる。
【００１９】
前記背もたれ側フレーム５Ａは、図３に示すように、その下端部がＵ字状の連結金具２１を介して座部枠３に軸着される。前記連結金具２１は、座部側フレーム部３Ａに下方から嵌合するとともに下部に形成された固定孔２２、２２および座部側フレーム部３Ａの取付孔２３、２３に挿通された一対の固定ボルト２４、２４により、座部側フレーム部３Ａの後部に固着される。そして背もたれ側フレーム５Ａは、その下端部が連結金具２１の側片２１ａ、２１ａ間に配されるとともに、該下端部に形成された軸支孔２５、および前記連結金具２１の側片２１ａ、２１ａの上部の支持孔２６、２６に挿通された軸支ボルト２７により軸着される。前記背もたれ枠５は、両側の背もたれ側フレーム５Ａ、５Ａの下端部が前記の如く座部側フレーム部３Ａ、３Ａの後部に各々軸着されるため、前後に傾動してその傾斜角度を変化しうる。
【００２０】
また前記座部側フレーム部３Ａは、本形態では、下方に湾曲しながら後方にのびてその延長部で前記後脚部１８を一体に形成している。そして該後脚部１８は座部側フレーム部３Ａとともに一体化した延長座部フレーム１９を構成し、さらに両側の延長座部フレーム１９はその後端部間が後脚繋ぎフレーム２０Ｒにより連結されて強度向上が図られる。また前記延長肘フレーム１７の前脚部１６は、その前端部間が前脚繋ぎフレーム２０Ｆで連結補強され、前記後脚部１８とともに椅子および使用者の荷重を支持している。なお両側の前脚部１６、１６は、その中位を繋ぎ杆２８で連結されている。
【００２１】
前記肘掛けフレーム部７は、少なくとも周囲面が断面円形をなし、前脚部１６に連続する前部がピンＰ２により座部側フレーム部の前端部に枢着され、湾曲部分６を有し後方にのび、かつ保持手段８を介して背もたれ枠５に係合している。また前記背もたれ枠５は、保持手段８により肘掛けフレーム部７の複数位置において該肘掛けフレーム部７に保持係止され、これにより背もたれ部４は複数の傾斜角度で支持される。
【００２２】
前記保持手段８は、肘掛けフレーム部７に設けられた位置決め部９と、該位置決め部９に係合して背もたれ部４の後への傾動を支持する係止部材１３とからなる。そして前記位置決め部９は、図９に示すように、肘掛けフレーム部７の内部に挿入され溶着された丸棒鋼の先端部により形成される第１の突起９Ａ１と、肘掛けフレーム部７の後端部を閉蓋するキャップ１５により形成される第２の突起９Ａ２とからなる突起９Ａにより構成される。そして本形態では、前記第１の突起９Ａ１は、肘掛けフレーム部７の周囲面から上方に向けて２個形成されている。前記キャップ１５は有底筒状をなし、肘掛けフレーム部７の後端部に嵌合されるとともに両側に螺合したビス３７、３７により肘掛けフレーム部７に固着される。なお前記突起９Ａは、一定の間隔Ｄを隔てて形成され、該間隔Ｄは、例えば４０〜１１０ｍｍ程度、本例では７５ｍｍに設定される。
【００２３】
前記係止部材１３は、図４に示すように、背受け体１０と係止体１２とからなる。そして本形態の背受け体１０は、図５に示すように、下部に下切欠部２９を有し該下切欠部２９の両側に垂下片３０、３０を具えた短円筒状の受本体３１と、上部に上切欠部３２、下部に突起３３を有しかつ外周面に周方向を向く角溝３４を具えた、前記肘掛けフレーム部７の外径より少し大きな内径を有する短円筒状の内環３５とからなる。そして、内環３５が弾性に抗して縮径した状態で受本体３１内に嵌合して両者が組み合わされ、受本体３１が内環３５の角溝３４に外嵌するとともに受本体３１の下切欠部２９に内環３５の突起３３が嵌合することによりガタつくことなく一体化される。前記の如く構成された背受け体１０は、その内周面に内環３５の上切欠部３２により凹部１４が形成される。
【００２４】
そして前記背受け体１０は、図４に示すように、垂下片３０、３０のボルト孔３０ａ、３０ａおよび背もたれ枠５の取付孔３８に挿通されたボルト３６により、背もたれ枠５に前後に傾動可能に枢支される。
【００２５】
また前記係止体１２は、図４、８に示すように、前記肘掛けフレーム部７の外径より少し大きな内径を有する短円筒状をなし、その内周面に肘掛けフレーム部７の長さ方向に向く溝部１１を有する。本形態の係止体１２は、その外周両端部に補強のためのフランジ３９、３９を含み構成されたものを例示している。
【００２６】
前記係止部材１３は、図４に示すように、背受け体１０を前方に、係止体１２を後方に並べて肘掛けフレーム部７が挿通し、これにより背受け体１０、係止体１２は肘掛けフレーム部７に移動可能に支持される。
【００２７】
図９に示すように、背受け体１０の前記凹部１４は、その深さｄ１が第１の突起９Ａ１の突出高さｈ１よりも大きく形成されている。従って前記移動に際し、第１の突起９Ａ１は内環３５の上切欠部３２により形成された凹部１４を通過し、背受け体１０は第１の突起９Ａ１と衝合することなく、肘掛けフレーム部７の長さ方向に自在に移動することができる。
【００２８】
また係止体１２は、図９に示すように、前記溝部１１の深さｄ２が第１の突起９Ａ１の突出高さｈ１よりも大きく形成されている。これにより係止体１２は前記移動の際、図８に示されるように溝部１１の周方向の位置が第１の突起９Ａ１の突出方向（本形態では上方）と一致する時、該第１の突起９Ａ１は溝部１１を通過するため、第１の突起９Ａ１を越えて移動することができる。しかし、係止体１２は図９に示すように、第１の突起９Ａ１の通過後肘掛けフレーム部７回りに回転することにより溝部１１の位置を第１の突起９Ａ１の突出方向以外へ切替えると、第１の突起９Ａ１に衝合させることができる。
【００２９】
図９に示すように、後側に位置する第１の突起９Ａ１に対してその後面で衝合する係止体１２に、自重により後方に傾動する回転モーメントを有する背もたれ部４に取り付けられた背受け体１０が前方から衝合すると、前記回転モーメントによる背もたれ部４の後方への傾動が阻止されて位置決めされ、その結果背もたれ部４の傾斜角度が維持される。さらに、腰掛けた使用者の上半身の荷重により背もたれ部４に生じる後方への力は、係止体１２と衝合する第１の突起９Ａ１で確実に支持されて、使用者の上半身を安定した状態で保持しうる。また係止体１２は、背もたれ部４から後向きの荷重を受けて背受け体１０と第１の突起９Ａ１により挟着されるため、使用中に肘掛けフレーム部７回りに回転して前記溝部１１の位置が変化する可能性はなく、従ってたとえ大きな荷重が負荷しても背もたれ部４の傾斜角度は一定に保たれ使用者の上半身が安定して支持される。
【００３０】
背もたれ部４の傾斜角度を変える際には、図８に示すように背もたれ部４への負荷を外した状態で、係止体１２を肘掛けフレーム部７回りに回転して溝部１１の周方向の位置を第１の突起９Ａ１の突出方向（本形態では上方）に合致させ、この姿勢で第１の突起９Ａ１を越えて移動し、再度係止体１２を回転して他の位置に形成された第１の突起９Ａ１に衝合させ、これにより背もたれ部４を別の傾斜角度で支持する。このとき図６（Ｃ）に示すように、係止体１２を肘掛けフレーム部７の後端部まで移動させ、キャップ１５からなる第２の突起９Ａ２と衝合することにより、図７（Ｃ）に示すように、背もたれ部４を最大傾斜角度で支持することもできる。このように、係止体１２を回転して肘掛けフレーム部の長さ方向に移動するだけで背もたれ枠５の傾斜角度を調整することができ、該調整操作が非常に簡単である。しかも使用者が上半身を起して背もたれ部４への負荷をなくすことにより座部に腰掛けたままの状態で前記調整を行なうことができ、特に各種の傾斜角度を試しながら調整する場合に便利に使用できる。
【００３１】
本形態の椅子１を使用するに際し、図６（Ａ）に示すように、係止体１２を前方側の第１の突起９Ａ１に後面を衝合させて位置決めすると、図７（Ａ）に示すように、背もたれ部４は略１１０度の傾斜角度で支持され、読書、テレビの視聴など比較的上半身を起して座る場合に好適である。また図６（Ｂ）に示すように、係止体１２を後方側の第１の突起９Ａ１に後面を衝合させて位置決めすると、図７（Ｂ）に示すように、背もたれ部４は略１２５度の傾斜角度で支持され、音楽の視聴、思考時などある程度上半身を倒して座る場合に好適である。
【００３２】
また図６（Ｃ）に示すように、肘掛けフレーム部７の後端部まで移動した係止体１２は、第２の突起９Ａ２を構成するキャップ１５に衝合してそれ以上後方への移動が阻止される。そして図７（Ｃ）に示すように、背もたれ部４は略１４５度と最も大きな傾斜角度で支持され、仮眠、休養など上半身を大きく後傾してリラックスする場合に好適である。このように、肘掛けフレーム部７に突出した突起９Ａに衝合する係止体１２により背もたれ部４が位置決めされてその傾斜角度が変化するため、突起９Ａの位置を肘掛けフレーム部７上で選択することにより、広い選択幅から任意の傾斜角度を設定することができる。従って、テレビ、音楽の視聴、読書などのために椅子を使用する場合、或いは体の疲れを癒してリフレッシュするために体を出来るだけ伸ばしてリラックスし、さらには仮眠をとる場合、その他マッサージ器を用いて神経を刺激する場合など様々な使用目的と状況に応じて最適な背もたれ部４の傾斜角度を得ることができる。また年齢、体格、性別など使用者の条件に合わせて背もたれ部４を傾けることができ、体に対する負担を最小にして快適に使用することができる。
【００３３】
本形態の位置決め部９は、叙上のように各々の肘掛けフレーム部７につき、２個の第１の突起９Ａ１およびキャップ１５からなる第２の突起９Ａ２からなる合計３個の突起９Ａにより構成されるが、第１の突起９Ａ１を３個以上設けることもできる。
【００３４】
なお、前記背受け体１０の内環３５、係止体１２およびキャップ１５は、ポリアセタール樹脂（ＰＯＭ）、ナイロン樹脂、ＡＢＳ樹脂、ポリプロピレン樹脂、ポリエチレン樹脂などを用いて成形され、また受本体３１は、ステンレス鋼、アルミニウムなどで形成される。
【００３５】
図１０は、前記と異なる係止部材１３が例示され、該係止部材１３は背受け体１０と係止体１２とからなる。本形態の背受け体１０は、下部に一対の垂下片３０、３０を具えた短円筒状をなし、図５に例示された前記実施形態の受本体３１と同一形状に構成される。
【００３６】
本形態の係止体１２は、上部に上切欠部４０を有する短円筒状をなし、外周面の前側に周方向を向く角溝４１を具えかつ後側に摘み片４２を突設している。そして係止体１２の角溝４１に背受け体１０が外嵌し、これにより係止体１２が回動可能にかつ係止体１２と背受け体１０とが前後に脱落不能に係合して係止部材１３が組立てられる。
【００３７】
本形態の係止部材１３は、図１０に示すように、摘み片４２を用い係止体１２を肘掛けフレーム部７回りに回転することにより前記上切欠部４０により形成される溝部１１の位置を第１の突起９Ａ１の突出方向に合致させ、この姿勢で第１の突起９Ａ１を越えて移動しうる。前記移動後係止体１２を再度回転して他の位置に形成された第１の突起９Ａ１に衝合させ、これにより背もたれ部４を別の傾斜角度で支持することができるものである。
【００３８】
本形態の椅子１は、図１１に示すように、背受け体１０を肘掛けフレーム部７の前部まで移動させることにより背もたれ部４を座部２の上に略重なる角度に前傾させて、背もたれ部４と座部２を折り畳むことができる。折り畳まれた椅子１は、コンパクトに収納でき、更には後脚部１８を床面に載置したまま前脚部１６を上方に持上げ壁などに立てかけて収納することもできる
【００３９】
前記折り畳みの際、図１１に示すように、肘掛けフレーム部７に外挿された筒状の肘掛けカバー４３は、図示されないファスナーを開くことにより肘掛けフレーム部７に対する被着が解除される。これにより肘掛けフレーム部７に外挿した背受け体１０は充分前方まで移動でき、その結果背もたれ部４を完全に折り畳むことができる。また背もたれ部４を引き起こした際は、ファスナを閉めることにより肘掛けカバー４３は再度肘掛けフレーム部７に装着される。
【００４０】
本形態の椅子１は、図１に示すように、背もたれ部４にモータにより上下動するローラを有するマッサージ器４４が内蔵され、背もたれ部４の傾斜角度を変えることによりマッサージ効果を高めることができるものである。そして図１１に示されたベルト４５は、背もたれ枠５の背もたれ側フレーム５Ａ、５Ａ間に張設され、前記マッサージ器４４の荷重を支えることにより使用者に対するマッサージ圧力を維持することができる。
【図面の簡単な説明】
【００４１】
【図１】本発明の一実施の形態を例示する斜視図である。
【図２】そのフレームの構成を例示する斜視図である。
【図３】その要部拡大斜視図である。
【図４】その要部拡大分解斜視図である。
【図５】背受け体を例示する分解斜視図である。
【図６】（Ａ）〜（Ｃ）は異なる使用状態の要部斜視図である。
【図７】（Ａ）〜（Ｃ）は異なる使用状態の側面図である。
【図８】保持手段の調整操作を説明する要部斜視図である。
【図９】保持手段の断面図である。
【図１０】別の係止部材の形態を例示する斜視図である。
【図１１】折り畳んだ状態を例示する斜視図である。
【図１２】（Ａ）は従来例の側面図、（Ｂ）はその動作を説明する要部拡大図である。
【符号の説明】
【００４２】
２      座部
３      座部枠
３Ａ    座部側フレーム部
４      背もたれ部
５      背もたれ枠
６      湾曲部分
７      肘掛けフレーム部
８      保持手段
９      位置決め部
９Ａ    突起
１０      背受け体
１１      溝部
１２      係止体
１３      係止部材
１４      凹部
１５      キャップ
１６      前脚部
１７      延長肘フレーム
１８      後脚部
１９      延長座部フレーム
【図１】
2005205021.tif 000003
【図２】
2005205021.tif 000004
【図３】
2005205021.tif 000005
【図４】
2005205021.tif 000006
【図５】
2005205021.tif 000007
【図６】
2005205021.tif 000008
【図７】
2005205021.tif 000009
【図８】
2005205021.tif 000010
【図９】
2005205021.tif 000011
【図１０】
2005205021.tif 000012
【図１１】
2005205021.tif 000013
【図１２】
2005205021.tif 000014